【手続補正書】
【提出日】平成25年3月12日(2013.3.12)
【手続補正１】
【補正対象書類名】特許請求の範囲
【補正対象項目名】全文
【補正方法】変更
【補正の内容】
【特許請求の範囲】
【請求項１】
認証に関する処理を実行する認証アプリケーションをインストール可能に構成され、メッセージを表示する本体機能としての掲示板機能を有し、当該本体機能の掲示板機能で表示するメッセージを記憶するメッセージ記憶手段を有する画像処理装置であって、
前記認証アプリケーションの動作状態を判定する状態判定手段と、
前記状態判定手段で、前記認証アプリケーションが動作する状態であると判定される場合に、前記メッセージが認証アプリケーションと前記掲示板機能とでそれぞれ表示されないように、前記本体機能としての掲示板機能による掲示板画面を表示させることなく、前記認証アプリケーションの画面で、前記メッセージ記憶手段で記憶する本体機能の掲示板機能で表示するメッセージの内容を表示し、前記認証アプリケーションが動作しない状態であると判定される場合に、前記本体機能としての掲示板機能による掲示板画面で、前記メッセージ記憶手段で記憶するメッセージを表示する表示手段と
を備えることを特徴とする画像処理装置。
【請求項２】
前記状態判定手段で、前記認証アプリケーションが動作する状態であると判定される場合に、前記本体機能としての掲示板機能により表示される掲示板画面を非表示するべく、前記本体機能としての掲示板機能の設定を非表示設定し、前記認証アプリケーションが動作しない状態であると判定される場合に、前記本体機能としての掲示板機能により表示される掲示板画面を表示するべく、前記本体機能としての掲示板機能の設定を表示設定する設定手段を更に備え、
前記表示手段は、前記設定手段で設定した表示設定又は非表示設定に従って、前記メッセージ記憶手段で記憶するメッセージを前記掲示板画面又は認証アプリケーションの画面で表示することを特徴とする請求項１に記載の画像処理装置。
【請求項３】
外部装置からメッセージを受信するメッセージ受信手段を更に備え、
前記状態判定手段は、前記メッセージ受信手段でメッセージを受信した場合に、前記認証アプリケーションの動作状態を判定し、
前記設定手段は、前記メッセージ受信手段でメッセージを受信し、前記状態判定手段による前記認証アプリケーションの動作状態に従って、表示設定又は非表示設定することを特徴とする請求項２に記載の画像処理装置。
【請求項４】
当該画像処理装置は、メッセージを受信するメッセージ受信アプリケーションがインストールされ、
前記設定手段は、前記メッセージ受信アプリケーションによって設定されることを特徴とする請求項２又は３に記載の画像処理装置。
【請求項５】
当該画像処理装置が起動する又は当該画像処理装置のログアウト処理がなされる際に、前記設定手段で設定した設定を判定する設定判定手段と、
前記表示手段は、前記設定判定手段で表示設定であると判定され、前記状態判定手段で前記認証アプリケーションが動作しない状態であると判定される場合に、前記メッセージ記憶手段で記憶するメッセージを前記本体機能としての掲示板機能により表示される掲示板画面で表示し、前記設定判定手段で非表示設定であると判定され、前記状態判定手段で前記認証アプリケーションが動作する状態であると判定される場合に、前記メッセージ記憶手段で記憶するメッセージを前記認証アプリケーションの画面で表示することを特徴とする請求項２乃至４に記載の画像処理装置。
【請求項６】
前記状態判定手段による前記認証アプリケーションの動作状態の判定は、当該認証アプリケーションが起動しているか否かを判定することを特徴とする請求項１乃至５のいずれか１項に記載の画像処理装置。
【請求項７】
認証に関する処理を実行する認証アプリケーションをインストール可能に構成され、メッセージを表示する本体機能としての掲示板機能を有し、当該本体機能の掲示板機能で表示するメッセージを記憶するメッセージ記憶手段を有する画像処理装置の処理方法であって、
前記画像処理装置が、
前記認証アプリケーションの動作状態を判定する状態判定ステップと、
前記状態判定ステップで、前記認証アプリケーションが動作する状態であると判定される場合に、前記メッセージが認証アプリケーションと前記掲示板機能とでそれぞれ表示されないように、前記本体機能としての掲示板機能による掲示板画面を表示させることなく、前記認証アプリケーションの画面で、前記メッセージ記憶手段で記憶する本体機能の掲示板機能で表示するメッセージの内容を表示し、前記認証アプリケーションが動作しない状態であると判定される場合に、前記本体機能としての掲示板機能による掲示板画面で、前記メッセージ記憶手段で記憶するメッセージを表示する表示ステップと
を実行することを特徴とする処理方法。
【請求項８】
認証に関する処理を実行する認証アプリケーションをインストール可能に構成され、メッセージを表示する本体機能としての掲示板機能を有し、当該本体機能の掲示板機能で表示するメッセージを記憶するメッセージ記憶手段を有する画像処理装置で実行可能なプログラムあって、
前記画像処理装置を、
前記認証アプリケーションの動作状態を判定する状態判定手段と、
前記状態判定手段で、前記認証アプリケーションが動作する状態であると判定される場合に、前記メッセージが認証アプリケーションと前記掲示板機能とでそれぞれ表示されないように、前記本体機能としての掲示板機能による掲示板画面を表示させることなく、前記認証アプリケーションの画面で、前記メッセージ記憶手段で記憶する本体機能の掲示板機能で表示するメッセージの内容を表示し、前記認証アプリケーションが動作しない状態であると判定される場合に、前記本体機能としての掲示板機能による掲示板画面で、前記メッセージ記憶手段で記憶するメッセージを表示する表示手段として機能させることを特徴とするプログラム。
【手続補正２】
【補正対象書類名】明細書
【補正対象項目名】００１６
【補正方法】変更
【補正の内容】
【００１６】
そこで、本発明の目的は、認証アプリケーションの動作状態を判定することによって、本体機能としての掲示板機能の掲示板画面と認証アプリケーションの画面とでメッセージ内容がそれぞれ表示されない仕組みを提供すること。
【手続補正３】
【補正対象書類名】明細書
【補正対象項目名】００１７
【補正方法】変更
【補正の内容】
【００１７】
本発明の目的を達成するために、認証に関する処理を実行する認証アプリケーションをインストール可能に構成され、メッセージを表示する本体機能としての掲示板機能を有し、当該本体機能の掲示板機能で表示するメッセージを記憶するメッセージ記憶手段を有する画像処理装置であって、前記認証アプリケーションの動作状態を判定する状態判定手段と、前記状態判定手段で、前記認証アプリケーションが動作する状態であると判定される場合に、前記メッセージが認証アプリケーションと前記掲示板機能とでそれぞれ表示されないように、前記本体機能としての掲示板機能による掲示板画面を表示させることなく、前記認証アプリケーションの画面で、前記メッセージ記憶手段で記憶する本体機能の掲示板機能で表示するメッセージの内容を表示し、前記認証アプリケーションが動作しない状態であると判定される場合に、前記本体機能としての掲示板機能による掲示板画面で、前記メッセージ記憶手段で記憶するメッセージを表示する表示手段ととを備えることを特徴とする。
【手続補正４】
【補正対象書類名】明細書
【補正対象項目名】００１８
【補正方法】変更
【補正の内容】
【００１８】
また、前記状態判定手段で、前記認証アプリケーションが動作する状態であると判定される場合に、前記本体機能としての掲示板機能により表示される掲示板画面を非表示するべく、前記本体機能としての掲示板機能の設定を非表示設定し、前記認証アプリケーションが動作しない状態であると判定される場合に、前記本体機能としての掲示板機能により表示される掲示板画面を表示するべく、前記本体機能としての掲示板機能の設定を表示設定する設定手段を更に備え、前記表示手段は、前記設定手段で設定した表示設定又は非表示設定に従って、前記メッセージ記憶手段で記憶するメッセージを前記掲示板画面又は認証アプリケーションの画面で表示することを特徴とする。
【手続補正５】
【補正対象書類名】明細書
【補正対象項目名】００１９
【補正方法】変更
【補正の内容】
【００１９】
また、外部装置からメッセージを受信するメッセージ受信手段を更に備え、前記状態判定手段は、前記メッセージ受信手段でメッセージを受信した場合に、前記認証アプリケーションの動作状態を判定し、前記設定手段は、前記設定手段は、前記メッセージ受信手段でメッセージを受信し、前記状態判定手段による前記認証アプリケーションの動作状態に従って、表示設定又は非表示設定することを特徴とする。
【手続補正６】
【補正対象書類名】明細書
【補正対象項目名】００２０
【補正方法】変更
【補正の内容】
【００２０】
また、当該画像処理装置は、メッセージを受信するメッセージ受信アプリケーションがインストールされ、前記設定手段は、前記メッセージ受信アプリケーションによって設定されることを特徴とする。
【手続補正７】
【補正対象書類名】明細書
【補正対象項目名】００２１
【補正方法】変更
【補正の内容】
【００２１】
また、当該画像処理装置が起動する又は当該画像処理装置のログアウト処理がなされる際に、前記設定手段で設定した設定を判定する設定判定手段と、前記表示手段は、前記設定判定手段で表示設定であると判定され、前記状態判定手段で前記認証アプリケーションが動作しない状態であると判定される場合に、前記メッセージ記憶手段で記憶するメッセージを前記本体機能としての掲示板機能により表示される掲示板画面で表示し、前記設定判定手段で非表示設定であると判定され、前記状態判定手段で前記認証アプリケーションが動作する状態であると判定される場合に、前記メッセージ記憶手段で記憶するメッセージを前記認証アプリケーションの画面で表示することを特徴とする。
【手続補正８】
【補正対象書類名】明細書
【補正対象項目名】００２３
【補正方法】変更
【補正の内容】
【００２３】
本発明によれば、認証アプリケーションの動作状態を判定することによって、本体機能としての掲示板機能の掲示板画面と認証アプリケーションの画面とでメッセージ内容がそれぞれ表示されないようにすることができる。